(57)【要約】    【課題】玄関ドアの電気錠がピッキング等の不正な解錠操作により解錠された場合の警報発報機能および当該警報発報の制御機能を備え防犯性を高めるとともに、住戸内に在室中の居住者に対する安全性を高める。    【解決手段】暗証解錠装置３での所定の解錠操作、または居室親機５の電気錠解錠ボタン５３の操作が行われていない場合にピッキング等の不正な解錠操作により玄関ドア２の電気錠２０が解錠されると、これを検出した電気錠コントローラ８のＣＰＵ８３の制御により、居室親機、暗証解錠装置、電気錠コントローラのうち少なくとも一つから警報音を放音させることができるばかりでなく、ピッキング等の不正な解錠操作を行った不審者の映像を監視カメラ４にて撮像し、撮像された映像を居室親機が有する録画機能５６により録画させることができる。    【選択図】  図２
2005094621.tif 000002
【特許請求の範囲】
【請求項１】
玄関に設置され来訪者が居住者を呼び出すための呼出ボタン（１０）、前記来訪者が前記居住者との間で通話を成立させるためのマイク（１１）およびスピーカ（１２）を有する玄関子機（１）と、前記居住者が前記来訪者との間で通話を成立させるための通話部（５０、５１、５２）および玄関ドア（２）の電気錠（２０）を解錠させるための電気錠解錠ボタン（５３）を有する居室親機（５）と、前記電気錠を外部から解錠するための暗証解錠装置（３）と、前記居室親機および前記暗証解錠装置が接続され、前記居室親機の前記電気錠解錠ボタンの操作または前記暗証解錠装置の操作により前記電気錠を解錠制御するための電気錠解錠信号（Ｓ2）を出力する電気錠コントローラ（８）とを設け、
前記電気錠コントローラは、前記電気錠解錠信号を出力していない場合に前記電気錠が解錠されたときピッキング等の不正な解錠操作であると検出し、前記居室親機、前記暗証解錠装置、前記電気錠コントローラのうち少なくとも一つから警報音を放音させるための不正解錠通知音信号（Ｓ6）を出力するＣＰＵ（８３）を備えたことを特徴とするインターホンシステム。
【請求項２】
前記電気錠コントローラは、前記居室親機の前記電気錠解錠ボタンの操作または前記暗証解錠装置の操作を検出し、前記電気錠を解錠させるための前記電気錠解錠信号を出力する正常解錠時には前記居室親機、前記暗証解錠装置、前記電気錠コントローラのうち少なくとも一つから正常な解錠操作により前記電気錠が解錠されたことを通知音として通知するための正常解錠通知音信号（Ｓ3）を出力するＣＰＵ（８３）を備えたことを特徴とする請求項１記載のインターホンシステム。
【請求項３】
前記警報音と前記通知音とは異なる音としたことを特徴とする請求項２記載のインターホンシステム。
【請求項４】
前記電気錠コントローラには、住戸内側からサムターン（２１）を廻して前記電気錠を解錠した場合に不正な解錠操作とならないようにするために人感センサ（６）を接続し、前記人感センサが人物を検知したとき出力される検知信号（Ｓ9）を受信している場合に前記警報音を放音させるための前記不正解錠通知信号の出力を停止することを特徴とする請求項１乃至請求項３のうち何れか１項記載のインターホンシステム。
【請求項５】
前記居室親機は録画機能（５６）を有するとともに監視カメラ（４）が接続され、前記電気錠コントローラからの前記不正解錠通知信号を受信したとき前記監視カメラを駆動させ、前記監視カメラにて撮像された映像を前記録画機能により録画することを特徴とする請求項１乃至請求項４のうち何れか１項記載のインターホンシステム。
【発明の詳細な説明】
【技術分野】
【０００１】
本発明は、セキュリティ機能を有するインターホンシステムに係り、特に、玄関ドアの電気錠がピッキング等の不正な解錠操作により解錠されたときの警報発報手段を備えたインターホンシステムに関する。
【背景技術】
【０００２】
従来から、この種のセキュリティ機能を有するインターホンシステムとして、玄関ドアに電気錠が設けられ、この電気錠を玄関に設置されたドアホン子機の呼出ボタンと一体化させた暗証番号入力ボタンの操作による暗証番号の入力に基づいて解錠させることができるインターホン装置が提案されている（例えば、特許文献１を参照）。
【０００３】
【特許文献１】特開２０００−２７０１１１号公報（段落番号０００６、００１４、００１５、図１、図２）
【発明の開示】
【発明が解決しようとする課題】
【０００４】
しかしながら、従来例のインターホン装置において、玄関ドアの電気錠が上述以外の操作により解錠される、例えば、ピッキング等の不正な解錠操作により解錠された場合、これを警報発報するための機能が居室親機には備えられていないため、不正な解錠操作を行った不審者は住戸内へと容易に侵入することができ盗難の被害が発生するばかりでなく、居住者が住戸内に在室中の場合には当該居住者に被害が及ぶ虞があった。
【０００５】
本発明は、上述の難点を解消するためになされたもので、玄関ドアの電気錠がピッキング等の不正な解錠操作により解錠された場合の警報発報機能および当該警報発報の制御機能を備え防犯性を高めるとともに、住戸内に在室中の居住者に対する安全性を高めたインターホンシステムを提供することを目的としている。
【課題を解決するための手段】
【０００６】
上述の目的を達成するため、本発明の第１の態様であるインターホンシステムは、玄関に設置され来訪者が居住者を呼び出すための呼出ボタン、来訪者が居住者との間で通話を成立させるためのマイクおよびスピーカを有する玄関子機と、居住者が来訪者との間で通話を成立させるための通話部および玄関ドアの電気錠を解錠させるための電気錠解錠ボタンを有する居室親機と、電気錠を外部から解錠するための暗証解錠装置と、居室親機および暗証解錠装置が接続され、居室親機の電気錠解錠ボタンの操作または暗証解錠装置の操作により電気錠を解錠制御するための電気錠解錠信号を出力する電気錠コントローラとを設けている。電気錠コントローラは、電気錠解錠信号を出力していない場合に電気錠が解錠されたときピッキング等の不正な解錠操作であると検出し、居室親機、暗証解錠装置、電気錠コントローラのうち少なくとも一つから警報音を放音させるための不正解錠通知信号を出力するＣＰＵを備えている。
【０００７】
また、本発明の第２の態様は本発明の第１の態様のインターホンシステムにおいて、電気錠コントローラは、居室親機の電気錠解錠ボタンの操作または暗証解錠装置の操作を検出し、電気錠を解錠制御するための電気錠解錠信号を出力する正常解錠時には居室親機、暗証解錠装置、電気錠コントローラのうち少なくとも一つから正常な解錠操作により電気錠が解錠されたことを通知音として通知するための正常解錠通知信号を出力するＣＰＵを備えている。
【０００８】
また、本発明の第３の態様は本発明の第１の態様のインターホンシステムにおいて、警報音と通知音とは異なる音としている。
【０００９】
また、本発明の第４の態様は本発明の第１乃至第３の各態様のインターホンシステムにおいて、電気錠コントローラには、住戸内側からサムターンを廻して電気錠を解錠した場合に不正な解錠操作とならないようにするために人感センサを接続し、人感センサが人物を検知したとき出力される検知信号を受信している場合に警報音を放音させるための不正解錠通知信号の出力を停止するものである。
【００１０】
また、本発明の第５の態様は本発明の第１乃至第４の各態様のインターホンシステムにおいて、居室親機は録画機能を有するとともに監視カメラが接続され、電気錠コントローラからの不正解錠通知信号を受信したとき監視カメラを駆動させ、監視カメラにて撮像された映像を録画機能により録画するものである。
【発明の効果】
【００１１】
本発明のインターホンシステムによれば、暗証解錠装置での所定の解錠操作、または居室親機の電気錠解錠ボタンの操作が行われていない場合にピッキング等の不正な解錠操作により玄関ドアの電気錠が解錠されると、これを検出した電気錠コントローラのＣＰＵの制御により、居室親機、暗証解錠装置、電気錠コントローラのうち少なくとも一つから警報音を放音させることができるばかりでなく、ピッキング等の不正な解錠操作を行った不審者の映像を監視カメラにて撮像し、撮像された映像を居室親機が有する録画機能により録画させることができる。ゆえに、不審者による住戸内への侵入が防止され盗難の被害の発生を抑制でき防犯性が高まるばかりでなく、住戸内に在室中の居住者に対しての安全性も高められ、不審者の確認もより詳細に行うことができる。
【００１２】
また、本発明のインターホンシステムによれば、暗証解錠装置での所定の解錠操作、または居室親機の電気錠解錠ボタンの操作を検出した電気錠コントローラのＣＰＵの制御により、居室親機、暗証解錠装置、電気錠コントローラのうち少なくとも一つから玄関ドアの電気錠が正常に解錠された旨の通知音を警報音とは異なる音で放音させることができる。ゆえに、正常な解錠操作を行った帰宅時の居住者や住戸内に在室中の居住者に対して玄関ドアの電気錠が正常に解錠されたことを通知することができる。
【００１３】
さらに、本発明のインターホンシステムによれば、住戸内側から玄関ドアのサムターンを廻すような解錠操作が行われた場合には、これを検出した電気錠コントローラのＣＰＵの制御により、居室親機、暗証解錠装置、電気錠コントローラのうち少なくとも一つからの警報音の放音を停止させることができる。ゆえに、住戸内側からの解錠操作として玄関ドアのサムターンを廻した居住者に対しては、警報音を放音させずに正常な解錠操作として当該解錠操作を遂行させることができる。
【発明を実施するための最良の形態】
【００１４】
以下、本発明のインターホンシステムを適用した最良の実施の形態例について、図面を参照して説明する。
【００１５】
図１は、本発明の実施例によるインターホンシステムを示すシステム構成図である。
【００１６】
図１のシステム構成図に示すインターホンシステムは、住戸外側の玄関に設置される玄関子機１と、玄関において住戸外および住戸内の間を居住者や来訪者が出入りするために開閉される玄関ドア２と、住戸外側の玄関に設置され、玄関ドア２の後述する電気錠２０を外部から解錠させるために所定の解錠操作が行われる暗証解錠装置３と、玄関の周囲近傍の様子を住戸内にて監視するために住戸外側で所定のエリア内の映像を撮像する監視カメラ４と、住戸内に設置され、子機ラインＬ1を介して接続された玄関子機１、カメララインＬ4を介して接続された監視カメラ４をそれぞれ制御（呼出検出、映像撮像、通話等）するための機能を備えた居室親機５と、住戸内側の玄関に設置され、人物の存在の有無を検知するための人感センサ６および外出時において玄関ドア２の電気錠２０を解錠させるために居住者が操作する外出用電気錠解錠ボタン７と、住戸内の所定の位置、例えば、共用部に設置され、電気錠ラインＬ2を介して接続された玄関ドア２の電気錠２０、解錠装置ラインＬ3を介して接続された暗証解錠装置３、親機ラインＬ5を介して接続された居室親機５、人感センサラインＬ6を介して接続された人感センサ６、解錠ボタンラインＬ7を介して接続された外出用電気錠解錠ボタン７をそれぞれ制御（解錠制御、発報制御等）するための電気錠コントローラ８とを設けている。
【００１７】
また、図１のシステム構成図において、玄関子機１は、住戸外側の玄関に居る来訪者が住戸内に在室中の居住者を呼び出すために操作する呼出ボタン１０と、呼出操作を行った来訪者が居住者との間で通話を成立させるための音声を送受信する通話部をなすマイク（以下、子機マイクという。）１１およびスピーカ（以下、子機スピーカという。）１２と、呼出操作を行った来訪者の映像（住戸外側で所定のエリア内の映像を含む）を撮像するためのカメラ（以下、子機カメラという。）１３とを有する。
【００１８】
また、図１のシステム構成図において、玄関ドア２は、当該玄関ドアを施解錠するための電気錠２０と、居住者が住戸内側から電気錠２０を解錠させるために廻すサムターン２１とを有する。
【００１９】
また、図１のシステム構成図において、暗証解錠装置３は、玄関ドア２の電気錠２０を解錠させるための暗証番号を知り得る居住者、例えば、帰宅時の居住者が所定の入力操作を行う５キー、１０キー等のキー入力部３０と、後述する通知音または警報音を放音させるためのスピーカ（以下、解錠装置スピーカという。）３１とを有する。
【００２０】
また、図１のシステム構成図において、居室親機５は、玄関子機１にて呼出操作を行った来訪者からの呼び出しを報知するための呼出音や後述する通知音または警報音を放音させるとともに、応答操作を行った居住者が来訪者との間で通話を成立させるための音声を受信する通話部をなすスピーカ（以下、親機スピーカという。）５０と、上述の親機スピーカ５０とともに通話部を構成し、応答操作を行った居住者が来訪者との間で通話を成立させるための音声を送信するマイク（以下、親機マイクという。）５１と、上述の親機スピーカ５０、親機マイク５１とともに通話部を構成し、居住者が来訪者からの呼び出しに応答するために操作する通話ボタン５２と、居住者が玄関ドア２の電気錠２０を解錠させるために操作する電気錠解錠ボタン（以下、親機電気錠解錠ボタンという。）５３と、玄関子機１の子機カメラ１３または監視カメラ４にて撮像された映像を出画するためのＬＣＤ（Liquid Crystal Display）、有機ＥＬ（Electro Luminescence）等のモニタ５４とを有する。
【００２１】
さらに、図１のシステム構成図において、電気錠コントローラ８は、居住者が住戸内を不在とする外出前や夜間時等において当該システムの警戒設定を行うために操作する警戒設定ボタン８０と、居住者が玄関ドア２の電気錠２０を解錠させるために操作する電気錠解錠ボタン（以下、コントローラ電気錠解錠ボタンという。）８１と、後述する通知音または警報音を放音させるためのスピーカ（以下、コントローラスピーカという。）８２とを有する。
【００２２】
図２は、本発明の実施例によるインターホンシステムの構成を示すブロック図であり、当該システムの構成各部のうち居室親機５および電気錠コントローラ８の具体的な構成を示している。
【００２３】
図２のブロック図において、居室親機５には、上述の親機スピーカ５０、親機マイク５１、通話ボタン５２、親機電気錠解錠ボタン５３、モニタ５４と、当該居室親機の構成各部を制御するためのＣＰＵ（以下、親機ＣＰＵという。）５５と、玄関子機１の子機カメラ１３または監視カメラ４にて撮像された映像を録画するための録画機能をなすメモリ（以下、親機メモリという。）５６と、親機ＣＰＵ５５により制御され、モニタ５４を駆動させるためのモニタ駆動回路５７と、親機ＣＰＵ５５および子機ラインＬ1の間の信号／データ伝送路を形成するためのインターフェース（以下、子機側親機Ｉ／Ｆという。）５８と、親機ＣＰＵ５５およびカメララインＬ4の間の信号／データ伝送路を形成するためのインターフェース（以下、カメラ側親機Ｉ／Ｆという。）５９と、親機ＣＰＵ５５および親機ラインＬ5の間の信号／データ伝送路を形成するためのインターフェース（以下、コントローラ側親機Ｉ／Ｆという。）６０とが備えられている。
【００２４】
さらに、図２のブロック図において、電気錠コントローラ８には、上述の警戒設定ボタン８０、コントローラ電気錠解錠ボタン８１、コントローラスピーカ８２と、当該電気錠コントローラの構成各部を制御するためのＣＰＵ（以下、コントローラＣＰＵという。）８３と、玄関ドア２の電気錠２０を解錠させるために必要な所定の暗証番号が記憶されるメモリ（以下、コントローラメモリという。）８４と、コントローラＣＰＵ８３および電気錠ラインＬ2の間の信号／データ伝送路を形成するためのインターフェース（以下、電気錠側コントローラＩ／Ｆという。）８５と、コントローラＣＰＵ８３および解錠装置ラインＬ3の間の信号／データ伝送路を形成するためのインターフェース（以下、解錠装置側コントローラＩ／Ｆという。）８６と、コントローラＣＰＵ８３および親機ラインＬ5の間の信号／データ伝送路を形成するためのインターフェース（以下、親機側コントローラＩ／Ｆという。）８７と、コントローラＣＰＵ８３および人感センサラインＬ6の間の信号／データ伝送路を形成するためのインターフェース（以下、人感センサ側コントローラＩ／Ｆという。）８８と、コントローラＣＰＵ８３および解錠ボタンラインＬ7の間の信号／データ伝送路を形成するたのインターフェース（以下、解錠ボタン側コントローラＩ／Ｆという。）８９とが備えられている。
【００２５】
このように構成された本発明の実施例によるインターホンシステムにおいて、以下、具体的な動作について説明する。
【００２６】
なお、図１のシステム構成図において、住戸外側の玄関に居る来訪者が玄関子機１の呼出ボタン１０を操作して住戸内に在室中の居住者を呼び出し、この呼び出しを居室親機５の親機スピーカ５０から放音される呼出音およびモニタ５４に出画される映像、すなわち、玄関子機１の子機カメラ１３にて撮像された映像であり図２のブロック図に示す居室親機５の親機メモリ５６にも（自動的に）録画される映像に基づいて確認した居住者が通話ボタン５２を操作して応答することにより、居住者が使用する居室親機５の親機スピーカ５０および親機マイク５１と来訪者が使用する玄関子機１の子機マイク１１および子機スピーカ１２との間で音声（音声信号）を送受信させる通話の動作は、従来例の該当動作と同様であることから説明は省略する。
【００２７】
図１のシステム構成図において、玄関ドア２の電気錠２０を正常な解錠操作で解錠させるためには、以下、５つの解錠操作が適用される。具体的には、電気錠コントローラ８の警戒設定ボタン８１が予め操作されている状態（以下、警戒設定状態という。）で帰宅時の居住者が暗証解錠装置３のキー入力部３０を操作して所定の暗証番号を入力するような解錠操作（以下、第１の解錠操作という。）、上述の警戒設定状態で玄関子機１の呼出ボタン１０を操作した来訪者からの呼び出しを確認した居住者が居室親機５の親機電気錠解錠ボタン５３を操作するような解錠操作（以下、第２の解錠操作という。）、上述の警戒設定状態で居住者が外出前に外出用電気錠解錠ボタン７を操作するような解錠操作（以下、第３の解錠操作という。）、上述の警戒設定状態で住戸内に在室中の居住者が電気錠コントローラ８のコントローラ電気錠解錠ボタン８１を操作するような解錠操作（以下、第４の解錠操作という。）、上述の警戒設定状態で住戸内に在室中の居住者が玄関ドア２のサムターン２１を廻すような解錠操作（以下、第５の解錠操作という。）が適用される。
【００２８】
ここで、上述の第１の解錠操作を適用するにあたり、図２のブロック図に示す電気錠コントローラ８の（警戒設定状態である）コントローラＣＰＵ８３は、図１のシステム構成図に示す暗証解錠装置３のキー入力部３０の操作により入力され、解錠装置ラインＬ3から解錠装置側コントローラＩ／Ｆ８６を介して伝送されてきた暗証番号データ信号Ｓ1に付加されている暗証番号とコントローラメモリ８４に予め記憶されている所定の暗証番号とを照合し、当該暗証番号が一致した場合にのみ第１の解錠操作が正常な解錠操作であると判断し、玄関ドア２の電気錠２０を一定時間内解錠（解錠制御）させるための電気錠解錠信号Ｓ2を電気錠側コントローラＩ／Ｆ８５に出力するとともに、玄関ドア２の電気錠２０が正常に解錠された旨の正常解錠通知信号Ｓ3を解錠装置側コントローラＩ／Ｆ８６、親機側コントローラＩ／Ｆ８７、コントローラスピーカ８２のうち少なくとも一つに出力する。
【００２９】
また、図２のブロック図において、電気錠コントローラ８のコントローラＣＰＵ８３からの電気錠解錠信号Ｓ2は、電気錠側コントローラＩ／Ｆ８５から電気錠ラインＬ2を介して玄関ドア２の電気錠２０へと伝送され、同図および図１のシステム構成図に示す電気錠２０を一定時間内解錠させることができる。
【００３０】
また、図２のブロック図において、電気錠コントローラ８のコントローラＣＰＵ８３からの正常解錠通知信号Ｓ3が解錠装置側コントローラＩ／Ｆ８６に出力された場合、この正常解錠通知信号Ｓ3は、解錠装置側コントローラＩ／Ｆ８６から解錠装置ラインＬ3を介して暗証解錠装置３へと伝送され、図１のシステム構成図に示す解錠装置スピーカ３１にて玄関ドア２の電気錠２０が正常に解錠された旨の通知音を放音させることができ、これを確認した帰宅時の居住者は、電気錠２０が解錠されている一定時間内において玄関ドア２を開成させて住戸内へと帰宅することが可能となる。
【００３１】
また、図２のブロック図において、電気錠コントローラ８のコントローラＣＰＵ８３からの正常解錠通知信号Ｓ3が親機側コントローラＩ／Ｆ８７に出力された場合、この正常解錠通知信号Ｓ3は、親機側コントローラＩ／Ｆ８７から親機ラインＬ5、居室親機５のコントローラ側親機Ｉ／Ｆ６０、親機ＣＰＵ５５を介して親機スピーカ５０へと伝送され、同図および図１のシステム構成図に示す親機スピーカ５０にて玄関ドア２の電気錠２０が正常に解錠された旨の通知音を放音させることができる。
【００３２】
さらに、図２のブロック図において、電気錠コントローラ８のコントローラＣＰＵ８３からの正常解錠通知信号Ｓ3がコントローラスピーカ８２に出力された場合、同図および図１のシステム構成図に示すコントローラスピーカ８２にて玄関ドア２の電気錠２０が正常に解錠された旨の通知音を放音させることができる。
【００３３】
次に、上述の第２の解錠操作を適用するにあたり、図２のブロック図に示す電気錠コントローラ８の（警戒設定状態である）コントローラＣＰＵ８３は、居室親機５の親機電気錠解錠ボタン５３の操作を検出した親機ＣＰＵ５５から出力され、コントローラ側親機Ｉ／Ｆ６０、親機ラインＬ5、親機側コントローラＩ／Ｆ８７を介して伝送されてきた電気錠解錠起動信号Ｓ4を検出し、玄関ドア２の電気錠２０を一定時間内解錠（解錠制御）させるための上述の電気錠解錠信号Ｓ2を電気錠側コントローラＩ／Ｆ８５に出力するとともに、玄関ドア２の電気錠２０が正常に解錠された旨の上述の正常解錠通知信号Ｓ3を解錠装置側コントローラＩ／Ｆ８６、親機側コントローラＩ／Ｆ８７、コントローラスピーカ８２のうち少なくとも一つに出力する。
【００３４】
また、図２のブロック図において、電気錠コントローラ８のコントローラＣＰＵ８３からの電気錠解錠信号Ｓ2は、上述の第１の解錠操作が行われた場合と同様、電気錠側コントローラＩ／Ｆ８５から電気錠ラインＬ2を介して玄関ドア２の電気錠２０へと伝送され、同図および図１のシステム構成図に示す電気錠２０を一定時間内解錠させることができる。
【００３５】
なお、上述の第２の解錠操作を適用するにあたり、図２のブロック図に示す電気錠コントローラ８のコントローラＣＰＵ８３からの正常解錠通知信号Ｓ3が解錠装置側コントローラＩ／Ｆ８６に出力された場合に図１のシステム構成図に示す暗証解錠装置３の解錠装置スピーカ３１にて上述の通知音を放音させる動作、電気錠コントローラ８のコントローラＣＰＵ８３からの正常解錠通知信号Ｓ3が親機側コントローラＩ／Ｆ８７に出力された場合に同図および図１のシステム構成図に示す居室親機５の親機スピーカ５０にて上述の通知音を放音させる動作、電気錠コントローラ８のコントローラＣＰＵ８３からの正常解錠通知信号Ｓ3がコントローラスピーカ８２に出力された場合に同図および図１のシステム構成図に示すコントローラスピーカ８２にて上述の通知音を放音させる動作は、第１の解錠操作が行われた場合と同様であることから説明は省略する。
【００３６】
次に、上述の第３の解錠操作を適用するにあたり、図２のブロック図に示す電気錠コントローラ８の（警戒設定状態である）コントローラＣＰＵ８３は、図１のシステム構成図に示す外出用電気錠解錠ボタン７から出力され、解錠ボタンラインＬ7、解錠ボタン側コントローラＩ／Ｆ８９を介して伝送されてきた電気錠解錠起動信号Ｓ5を検出し、玄関ドア２の電気錠２０を一定時間内解錠（解錠制御）させるための上述の電気錠解錠信号Ｓ2を電気錠側コントローラＩ／Ｆ８５に出力するとともに、玄関ドア２の電気錠２０が正常に解錠された旨の上述の正常解錠通知信号Ｓ3を解錠装置側コントローラＩ／Ｆ８６、親機側コントローラＩ／Ｆ８７、コントローラスピーカ８２のうち少なくとも一つに出力する。
【００３７】
また、図２のブロック図において、電気錠コントローラ８のコントローラＣＰＵ８３からの電気錠解錠信号Ｓ2は、上述の第１、第２の各解錠操作が行われた場合と同様、電気錠側コントローラＩ／Ｆ８５から電気錠ラインＬ2を介して玄関ドア２の電気錠２０へと伝送され、同図および図１のシステム構成図に示す電気錠２０を一定時間内解錠させることができる。
【００３８】
なお、上述の第３の解錠操作を適用するにあたり、図２のブロック図に示す電気錠コントローラ８のコントローラＣＰＵ８３からの正常解錠通知信号Ｓ3が解錠装置側コントローラＩ／Ｆ８６に出力された場合に図１のシステム構成図に示す暗証解錠装置３の解錠装置スピーカ３１にて上述の通知音を放音させる動作、電気錠コントローラ８のコントローラＣＰＵ８３からの正常解錠通知信号Ｓ3が親機側コントローラＩ／Ｆ８７に出力された場合に同図および図１のシステム構成図に示す居室親機５の親機スピーカ５０にて上述の通知音を放音させる動作、電気錠コントローラ８のコントローラＣＰＵ８３からの正常解錠通知信号Ｓ3がコントローラスピーカ８２に出力された場合に同図および図１のシステム構成図に示すコントローラスピーカ８２にて上述の通知音を放音させる動作は、第１、第２の各解錠操作が行われた場合と同様であることから説明は省略する。
【００３９】
次に、上述の第４の解錠操作を適用するにあたり、図２のブロック図に示す電気錠コントローラ８の（警戒設定状態である）コントローラＣＰＵ８３は、コントローラ電気錠解錠ボタン８１の操作を検出し、玄関ドア２の電気錠２０を一定時間内解錠（解錠制御）させるための上述の電気錠解錠信号Ｓ2を電気錠側コントローラＩ／Ｆ８５に出力するとともに、玄関ドア２の電気錠２０が正常に解錠された旨の上述の正常解錠通知信号Ｓ3を解錠装置側コントローラＩ／Ｆ８６、親機側コントローラＩ／Ｆ８７、コントローラスピーカ８２のうち少なくとも一つに出力する。
【００４０】
また、図２のブロック図において、電気錠コントローラ８のコントローラＣＰＵ８３からの電気錠解錠信号Ｓ2は、上述の第１、第２、第３の各解錠操作が行われた場合と同様、電気錠側コントローラＩ／Ｆ８５から電気錠ラインＬ2を介して玄関ドア２の電気錠２０へと伝送され、同図および図１のシステム構成図に示す電気錠２０を一定時間内解錠させることができる。
【００４１】
なお、上述の第４の解錠操作を適用するにあたり、図２のブロック図に示す電気錠コントローラ８のコントローラＣＰＵ８３からの正常解錠通知信号Ｓ3が解錠装置側コントローラＩ／Ｆ８６に出力された場合に図１のシステム構成図に示す暗証解錠装置３の解錠装置スピーカ３１にて上述の通知音を放音させる動作、電気錠コントローラ８のコントローラＣＰＵ８３からの正常解錠通知信号Ｓ3が親機側コントローラＩ／Ｆ８７に出力された場合に同図および図１のシステム構成図に示す居室親機５の親機スピーカ５０にて上述の通知音を放音させる動作、電気錠コントローラ８のコントローラＣＰＵ８３からの正常解錠通知信号Ｓ3がコントローラスピーカ８２に出力された場合に同図および図１のシステム構成図に示すコントローラスピーカ８２にて上述の通知音を放音させる動作は、第１、第２、第３の各解錠操作が行われた場合と同様であることから説明は省略する。
【００４２】
次に、図１のシステム構成図に示す玄関ドア２の電気錠２０がピッキング等の不正な解操作により解錠された場合、図２のブロック図に示す電気錠コントローラ８の（警戒設定状態である）コントローラＣＰＵ８３は、電気錠側コントローラＩ／Ｆ８５に電気錠解錠信号Ｓ2を出力していない、すなわち、上述の第１、第２、第３、第４の各解錠操作が行われていないのにも拘わらず、玄関ドア２の電気錠２０が解錠されたことを不審者による不正な解錠操作であると判断し、その旨の不正解錠通知信号Ｓ6を解錠装置側コントローラＩ／Ｆ８６、親機側コントローラＩ／Ｆ８７、コントローラスピーカ８２のうち少なくとも一つに出力する。
【００４３】
また、図２のブロック図において、電気錠コントローラ８のコントローラＣＰＵ８３からの不正解錠通知信号Ｓ6が解錠装置側コントローラＩ／Ｆ８６に出力された場合、この不正解錠通知信号Ｓ6は、上述の正常解錠通知信号Ｓ3と同様な経路を介して暗証解錠装置３へと伝送され、図１のシステム構成図に示す解錠装置スピーカ３１にて玄関ドア２の電気錠２０が不正な解錠操作により解錠された旨の警報音を上述の通知音とは異なる音で放音させることができ、この警報音はピッキング等の不正な解操作を行った不審者に対しての威嚇手段ともなり、当該不審者による住戸内への侵入が防止され盗難の被害の発生を抑制でき防犯性が高まりばかりでなく、住戸内に在室中の居住者に対しての安全性も高められる。
【００４４】
また、図２のブロック図において、電気錠コントローラ８のコントローラＣＰＵ８３からの不正解錠通知信号Ｓ6が親機側コントローラＩ／Ｆ８７に出力された場合、この不正解錠通知信号Ｓ6は、上述の正常解錠通知信号Ｓ3と同様な経路を介して居室親機５の親機スピーカ５０へと伝送され、同図および図１のシステム構成図に示す親機スピーカ５０にて玄関ドア２の電気錠２０が不正な解錠操作により解錠された旨の警報音を上述の通知音とは異なる音で放音させることができるばかりでなく、親機ＣＰＵ５５は、親機スピーカ５０への制御とともにモニタ駆動回路５７を駆動させ、併せて同図および図１のシステム構成図に示す監視カメラ４を駆動させるためのカメラ駆動信号Ｓ7をカメラ側親機Ｉ／Ｆ５９に出力する。このカメラ駆動信号Ｓ7は、カメラ側親機Ｉ／Ｆ５９からカメララインＬ4を介して監視カメラ４へと伝送される。
【００４５】
図１のシステム構成図において、監視カメラ４は、居室親機５からのカメラ駆動信号Ｓ7を検出することにより、ピッキング等の不正な解錠操作を行った不審者の映像の撮像を開始する。この映像は、信号処理された映像信号Ｓ8として上述のカメラ駆動信号Ｓ7とは逆の経路を介して図２のブロック図に示す居室親機５の親機ＣＰＵ５５へと伝送される。
【００４６】
図２のブロック図において、居室親機５の親機ＣＰＵ５５は、監視カメラ４からの映像信号Ｓ8をモニタ駆動回路５７を介して当該モニタ駆動回路の制御により駆動されたモニタ５４へと伝送させるとともに親機メモリ５６に録画することにより、ピッキング等の不正な解錠操作を行った不審者の映像をリアルタイムで同図および図１のシステム構成図に示すモニタ５４に出画させることができ、住戸内に在室中の居住者にとっては、上述の警報音の放音と併せて不審者の確認が容易となる。また、親機メモリ５６に録画された映像信号Ｓ8は、居住者による適宜な手段（詳述せず）により読み出してモニタ５４に出画させることもできる。
【００４７】
さらに、図２のブロック図において、電気錠コントローラ８のコントローラＣＰＵ８３からの不正解錠通知信号Ｓ6がコントローラスピーカ８２に出力された場合、同図および図１のシステム構成図に示すコントローラスピーカ８２にて玄関ドア２の電気錠２０が不正な解錠操作により解錠された旨の警報音を上述の通知音とは異なる音で放音させることができる。
【００４８】
次に、上述の第５の解錠操作を適用するにあたり、図２のブロック図に示す電気錠コントローラ８の（警戒設定状態である）コントローラＣＰＵ８３は、図１のシステム構成図に示す玄関ドア２のサムターン２１を廻した人物、例えば、住戸内に在室中の居住者の存在を検知した人感センサ６から出力され、センサラインＬ6、人感センサ側コントローラＩ／Ｆ８８を介して伝送されてきた検知信号Ｓ9を検出したときには、上述の不正解錠通知信号Ｓ6の出力を停止させることにより、同図および図１のシステム構成図に示す暗証解錠装置３の解錠装置スピーカ３１、居室親機５の親機スピーカ５０、コントローラスピーカ８０のうち少なくとも一つからの警報音の放音を停止させることができる。ゆえに、住戸内側からの解錠操作として玄関ドア２のサムターン２１を廻した居住者に対しては、警報音を放音させずに正常な解錠操作として当該解錠操作を遂行させることができる。
【００４９】
なお、本発明の実施例によるインターホンシステムにおいては、玄関ドア２の電気錠２０を解錠させるために所定の解錠操作が行われる暗証解錠装置３の入力部として、５キー、１０キー等のキー入力部３０を適用させたが、これに限定されず、電気錠コントローラ８のコントローラメモリ８４に予め記憶させた所定の指紋と照合させる帰宅時の居住者の指紋を入力することができる指紋入力部も好適とされる。
【００５０】
また、本発明の実施例によるインターホンシステムにおいては、居室親機５の通話部として居住者が来訪者との間で拡声通話を成立させるために使用する親機スピーカ５０、親機マイク５１、通話ボタン５２からなる通話部を適用させたが、当該通話部はこれに限定されず、親機スピーカ５０では呼出音、上述の通知音または警報音を放音させ、居住者が来訪者との間でハンドセット通話を成立させるために使用するハンドセットからなる通話部も好適とされる。
【図面の簡単な説明】
【００５１】
【図１】図１は、本発明の実施例によるインターホンシステムを示すシステム構成図である。
【図２】図２は、本発明の実施例によるインターホンシステムの構成を示すブロック図である。
【符号の説明】
【００５２】
１……玄関子機
１１……子機マイク（マイク）
１２……子機スピーカ（スピーカ）
２……玄関ドア
２０……電気錠
２１……サムターン
３……暗証解錠装置
４……監視カメラ
５……居室親機
５０……親機スピーカ（通話部）
５１……親機マイク（通話部）
５２……通話ボタン（通話部）
５３……親機電気錠解錠ボタン（電気錠解錠ボタン）
５６……親機メモリ（録画機能）
６……人感センサ
８……電気錠コントローラ
８３……コントローラＣＰＵ（ＣＰＵ）
Ｓ2……電気錠解錠信号
Ｓ3……正常解錠通知信号
Ｓ6……不正解錠通知信号
Ｓ9……検知信号
【図１】
2005094621.tif 000003
【図２】
2005094621.tif 000004